(57)【要約】【課題】止水性及び耐震性に優れ、電線類の引き込み作業が支障なく行える埋設管接続継手を提供する。【解決手段】埋設管接続継手３の可撓性を有する継手本体４の内端側に、地中埋設桝１の壁部１ａに埋設される固定部４Ａを設け、地中埋設桝１の外部側と対応する継手本体４の外端側に、地中埋設管２の接続側端部が接続される接続部４Ｂを設け、固定部４Ａの内周面に、地中埋設桝１の内部側と対応する内端側内周面が側面視略ラッパ状に形成されたベルマウス５を挿入固定している。接続部４Ｂを、固定部４Ａ内周面と対向する折り曲げ状態と、固定部４Ａの外端側周縁部よりも外方に突出する引き出し状態との間で任意長さに伸縮自在に設け、ベルマウス５の外端側周縁部に、固定部４Ａ内周面と対向する状態に折り曲げられた接続部４Ｂの内端側周縁部を当接して、接続部４Ｂの接続側端部を固定部４Ａの外端側周縁部よりも外方に所定長さ突出した状態に規制する。【選択図】図４
2007143243.tif 000002
【特許請求の範囲】
【請求項１】
電線共同溝を構成する地中埋設桝と地中埋設管とを接続する埋設管接続継手であって、
上記地中埋設桝の内部側と対応する可撓性を有する継手本体の内端側に、該地中埋設桝の壁部に埋設される固定部を設け、
上記地中埋設桝の外部側と対応する継手本体の外端側に、該地中埋設管の接続側端部が接続される接続部を設け、
上記固定部の内周面に、上記地中埋設桝の内部側と対応する内端側内周面が、該内端側に向かうほど徐々に大径となる滑らかな曲面に形成したベルマウスを挿入固定し、
上記地中埋設管が接続される接続部を、上記固定部内周面と対向する折り曲げ状態と、該固定部の外端側周縁部よりも外方に突出する引き出し状態との間で任意長さに伸縮自在に設け、
上記地中埋設桝の外部側と対応する上記ベルマウスの外端側周縁部に、上記固定部内周面と対向する状態に折り曲げられた接続部の内端側周縁部を当接して、
該接続部の接続側端部を上記固定部の外端側周縁部よりも外方に所定長さ突出した状態に規制した
埋設管接続継手。
【請求項２】
上記地中埋設桝の外部側と対応するベルマウスの外端側内周面に、該外端側に向かうほど徐々に大径となる滑らかな面であって、該地中埋設管の接続側端部が軸方向に対して当接される外端側案内面を形成した
請求項１に記載の埋設管接続継手。
【請求項３】
上記地中埋設桝の外部側と対応する固定部の外端側周縁部と、該地中埋設桝の内部側と対応する接続部の内端側周縁部とを筒状の連結部で一体的に連設して、
上記地中埋設桝の壁部に埋設される固定部と、該固定部内周面と対向する状態に折り曲げられた連結部との対向面間に、上記ベルマウスの外端側周縁部が挟み込まれた状態に挿入固定した
請求項１又は２に記載の埋設管接続継手。
【請求項４】
上記接続部と連結部の一方又は両方を、伸縮性を有する材質で構成した
請求項１乃至３のいずれか一つに記載の埋設管接続継手。
【請求項５】
上記接続部の内周面に、上記地中埋設管の外周面に対して止水状態に圧着される止水部を設けた
請求項１乃至４のいずれか一つに記載の埋設管接続継手。
【請求項６】
上記地中埋設桝の壁部に埋設される継手本体の固定部外周面に、該壁部内面に対して係止され、軸方向への移動を阻止する移動阻止部を円周方向に連続して形成した
請求項１乃至５のいずれか一つに記載の埋設管接続継手。
【請求項７】
上記継手本体の固定部外周面に形成した各移動阻止部間に、上記壁部内面に対して係止され、円周方向への回動を阻止する凸状の回動阻止部を軸方向と平行して形成した
請求項１乃至６のいずれか一つに記載の埋設管接続継手。
【発明の詳細な説明】
【技術分野】
【０００１】
この発明は、例えば電力ケーブル、通信ケーブル、道路管理者用ケーブル等の電線類を地中埋設化する電線共同溝（ＣＣＢＯＸ）の地中埋設桝と地中埋設管との接続に用いられる埋設管接続継手に関する。
【背景技術】
【０００２】
上述の地中埋設管を埋設する場合、例えば木の根、大きな石、水道管、ガス管等の障害物が存在すると、障害物を埋設場所から取り除くか、地中埋設管の埋設が妨げられないような場所に移転させなければならず、障害物を取り除く作業、移転する作業等に手間及び時間が掛かる。また、障害物を取り除く又は移転させることが難しい場合、地中埋設管の埋設場所を変更しなければならず、工期が長くなるため、全体の工費が高くなるという問題点を有している。
【０００３】
また、地中埋設管の接続に用いられる接続構造としては、例えば特殊部の妻壁部に埋設固定される固定部と、固定部から特殊部の外方側へ延び、内部に地中埋設管が管軸方向に移動自在に内嵌装着される伸縮案内部とを有し、固定部の特殊部内部側の基端内面に外広がりの略ラッパ状の案内面を形成した特許文献１の小型ダクトスリーブがあるが、伸縮案内部は伸縮性を備えておらず、伸縮案に内嵌した地中埋設管を管軸方向に移動するものであり、小型ダクトスリーブが埋設された特殊部を運搬する際に、障害物が伸縮案内部に接触すると、亀裂や破損等が発生しやすく、止水性が損なわれる心配がある。また、伸縮案内部が突出している寸法だけ小型ダクトスリーブの全長が長く嵩張るため、運搬や保管する場合、大きなスペースが必要である。
【０００４】
他の接続構造としては、例えばマンホールの流入側削孔口と流入側本管とを、止水性及び可撓性を有するゴム製の止水可撓継手で接続した特許文献２のマンホールの接続構造があるが、マンホールの流入側削孔口に接続される接続部と、流入側本管の外周に被覆される被覆部とを連結する蛇腹部が当該マンホールの外部側に突出しているので、埋設後の土砂の埋め戻し等の作業を行ったときに付与される外部圧力により、蛇腹部が変形したり、へこんだりする。或いは、止水可撓継手が埋設されたマンホールを運搬する際に、障害物が蛇腹部に接触すると、亀裂や破損等が発生しやすく、止水性及び伸縮性が損なわれる心配がある。また、蛇腹部が突出している寸法だけ止水可撓継手の全長が長く嵩張るため、運搬や保管する場合、大きなスペースが必要である。特許文献２を上記特許文献１に組み合わせたとしても、上記問題を解決することができない。
【０００５】
【特許文献１】特開２００２−７８１７４号公報
【特許文献２】特開２００３−１２９５０６号公報
【発明の開示】
【発明が解決しようとする課題】
【０００６】
この発明は上記問題に鑑み、止水性及び耐震性に優れ、電線類の引き込み作業が支障なく行える埋設管接続継手の提供を目的とする。
【課題を解決するための手段】
【０００７】
請求項１に記載した発明の埋設管接続継手は、電線共同溝を構成する地中埋設桝と地中埋設管とを接続する埋設管接続継手であって、上記地中埋設桝の内部側と対応する可撓性を有する継手本体の内端側に、該地中埋設桝の壁部に埋設される固定部を設け、上記地中埋設桝の外部側と対応する継手本体の外端側に、該地中埋設管の接続側端部が接続される接続部を設け、上記固定部の内周面に、上記地中埋設桝の内部側と対応する内端側内周面が、該内端側に向かうほど徐々に大径となる滑らかな曲面に形成したベルマウスを挿入固定し、上記地中埋設管が接続される接続部を、上記固定部内周面と対向する折り曲げ状態と、該固定部の外端側周縁部よりも外方に突出する引き出し状態との間で任意長さに伸縮自在に設け、上記地中埋設桝の外部側と対応する上記ベルマウスの外端側周縁部に、上記固定部内周面と対向する状態に折り曲げられた接続部の内端側周縁部を当接して、該接続部の接続側端部を上記固定部の外端側周縁部よりも外方に所定長さ突出した状態に規制したことを特徴とする。
【０００８】
この発明によると、地中埋設桝と地中埋設管との相対変位に応じて、継手本体又は接続部が軸方向に伸縮するか、径方向に変位するので、地中埋設桝と地中埋設管との間に隙間が発生することがなく、止水状態が維持される。また、地中埋設管が接続される接続部を、固定部内周面と対向する状態に折り曲げることができるので、その折り曲げと対応する寸法だけ継手本体の全長が短くなり、嵩張らず、スペースが小さくて済み、運搬や保管、取り扱い等が容易に行える。
【０００９】
上記継手本体は、例えばスチレンブタジエンゴム＝ＳＢＲ、ニトリルゴム＝ＮＢＲ、エチレンプロピレンゴム＝ＥＰＴ、クロロプレンゴム＝ＣＲ、ブチルゴム＝ＩＩＲ等の可撓性、伸縮性を有する合成ゴムで構成することができる。また、ベルマウスは、例えばポリ塩化ビニル＝硬質ＰＶＣ、アクリロニトリルゴム＝ＡＢＳ、ポリカーボネート＝ＰＣ、ポリアセタール＝ＰＯＭ、ナイロン＝ＰＡ等の接触抵抗が小さい合成樹脂で構成することができる。
【００１０】
請求項２に記載した発明の埋設管接続継手は、上記請求項１に記載の構成と併せて、上記地中埋設桝の外部側と対応するベルマウスの外端側内周面に、該外端側に向かうほど徐々に大径となる滑らかな面であって、該地中埋設管の接続側端部が軸方向に対して当接される外端側案内面を形成したことを特徴とする。
【００１１】
この発明によると、ベルマウスの外端側案内面を、外端側に向かうほど徐々に大径となる滑らかな面に形成しているので、ケーブル等の電線類に付与される接触抵抗が小さく、引き込み作業が支障なく行える。また、地中埋設管の接続側端部を、ベルマウスの外端側案内面に対して当接するまで差し込むことができ、所定の接続寸法に規制される。
【００１２】
請求項３に記載した発明の埋設管接続継手は、上記請求項１又は２に記載の構成と併せて、地中埋設桝の外部側と対応する固定部の外端側周縁部と、該地中埋設桝の内部側と対応する接続部の内端側周縁部とを筒状の連結部で一体的に連設して、上記地中埋設桝の壁部に埋設される固定部と、該固定部内周面と対向する状態に折り曲げられた連結部との対向面間に、上記ベルマウスの外端側周縁部が挟み込まれた状態に挿入固定したことを特徴とする。
【００１３】
この発明によると、ベルマウスの外端側周縁部を、固定部と連結部との対向面間に挿入すれば、固定部と連結部との接触抵抗によりベルマウスの外端側周縁部が挟み込まれた状態に抜止め固定される。
【００１４】
請求項４に記載した発明の埋設管接続継手は、上記請求項１乃至３のいずれか一つに記載の構成と併せて、上記接続部と連結部の一方又は両方を、伸縮性を有する材質で構成したことを特徴とする。
【００１５】
この発明によると、例えば合成ゴム等の伸縮性を有する材質で構成した接続部と連結部の一方又は両方が、地中埋設桝と地中埋設管の変位に応じて軸方向に伸縮及び径方向に変位する。
【００１６】
請求項５に記載した発明の埋設管接続継手は、上記請求項１乃至４のいずれか一つに記載の構成と併せて、上記接続部の内周面に、上記地中埋設管の外周面に対して止水状態に圧着される止水部を設けたことを特徴とする。
【００１７】
この発明によると、接続部内周面に形成した単数本又は複数本の止水部が、地中埋設管の接続側端部外周面に対して圧着されるため、地中埋設管と埋設管接続継手との間から地下水等が浸入するのを防止する止水作用が得られる。止水部は、例えば凸状の止水突起、或いは、水膨張不織布、水膨張シート、未加硫ブチルゴム等の止水性を有するシート状の止水部材で構成することができる。
【００１８】
請求項６に記載した発明の埋設管接続継手は、上記請求項１乃至５のいずれか一つに記載の構成と併せて、上記地中埋設桝の壁部に埋設される継手本体の固定部外周面に、該地中埋設桝の壁部内面に対して係止され、軸方向への移動を阻止する移動阻止部を円周方向に連続して形成したことを特徴とする。
【００１９】
この発明によると、埋設管接続継手を、実施例の妻壁工法、ＰＣ工法等の工法で製作する際に、地中埋設桝の壁部内面に対して継手本体の固定部外周面に形成した単数又は複数の移動阻止部が係止され、地中埋設桝が固化するまでに、継手全体が軸方向へ移動しようとするのを阻止する。
【００２０】
請求項７に記載した発明の埋設管接続継手は、上記請求項１乃至６のいずれか一つに記載の構成と併せて、上記継手本体の固定部外周面に形成した各移動阻止部間に、上記壁部内面に対して係止され、円周方向への回動を阻止する回動阻止部を軸方向と平行して形成したことを特徴とする。
【００２１】
この発明によると、地中埋設桝を製作する際に、地中埋設桝の壁部内面に対して固定部外周面に形成した各移動阻止部間の単数又は複数の回動阻止部が係止され、地中埋設桝が固化するまでに、継手全体が円周方向へ回動しようとするのを阻止する。
【００２２】
上記移動阻止部及び回動阻止部は、例えば突起、起立部、壁部等の凸状部、或いは、溝部、孔部、窪み部、開口部等の凹状部で構成することができる。また、各阻止部の本数、高さ、深さ等は、継手本体の大きさに応じて任意に変更することができる。
【発明の効果】
【００２３】
この発明によれば、地中埋設桝と地中埋設管との相対位置が軸方向に変位するか、水平方向や垂直方向に変位したとき、その変位に応じて、継手本体又は接続部が軸方向に伸縮及び径方向に変位するので、地中埋設桝と地中埋設管との間に隙間が発生することがなく、止水状態が維持されるため、耐震性に優れている。地中埋設管が接続される接続部を、固定部内周面と対向する状態に折り曲げることができるので、その折り曲げと対応する寸法だけ継手本体の全長が短くなり、嵩張らず、コンパクトであり、スペースが小さくて済み、運搬や保管、取り扱い等が容易に行える。
【００２４】
また、継手本体の接続部及び連結部を任意角度に変位させれば、地中埋設管の埋設場所を変更することなく、その埋設場所に存在する障害物を避けて、地中埋設管を埋設するか、地中埋設桝に対して接続することができる。障害物を取り除く又は移転する作業、地中埋設管の埋設場所を変更する作業が不要となるため、地中埋設管の埋設作業や接続作業が簡単且つ容易に行え、工期の短縮、工費の低減を図ることができる。
【００２５】
また、ベルマウスの剛性により継手本体の形状を維持するので、地中埋設桝の製作時において、地中埋設桝を構成する充填物の圧力により継手本体が変形しようとするのを防止することができ、地中埋設管を接続するのに適した寸法及び形状を維持することができる。
【発明を実施するための最良の形態】
【００２６】
この発明は、耐震性に優れ、電線類の引き込み作業が簡単且つ容易に行え、地中に存在する障害物に妨げられることなく、を避けて埋設することができるという目的を、地中埋設桝と地中埋設管との相対変位に応じて、継手本体又は接続部が軸方向に伸縮するか、径方向に変位させることで達成した。
【実施例】
【００２７】
この発明の一実施例を以下図面に基づいて詳述する。  
図面は、電線共同溝を構成する地中埋設桝と地中埋設管とを接続する埋設管接続継手を示し、図１及び図７に於いて、この電線共同溝（ＣＣＢＯＸ）は、例えばハンドホール、マンホール等の地中に埋設される箱型の地中埋設桝１と、電線類の一例である単数本又は複数本のケーブルが内装された地中埋設管２とを埋設管接続継手３で接続して地中埋設化するものである。
【００２８】
上記埋設管接続継手３は、図２、図３、図４にも示すように、地中埋設桝１を構成する壁部１ａの内部側に一端が連通され、壁部１ａの外部側に他端が突出するように埋設される継手本体４と、地中埋設桝１の内部側と対応する継手本体４の内端側に挿入固定されるベルマウス５とで構成される。
【００２９】
継手本体４は、例えばブチルゴム＝ＩＩＲ等の可撓性、伸縮性を有する合成ゴムで形成され、地中埋設桝１の内部側と対応する継手本体４の内端側に、地中埋設桝１の壁部１ａに埋設される筒状の固定部４Ａを形成し、地中埋設桝１の外部側と対応する継手本体４の外端側に、地中埋設管２が接続される軸方向に対して伸縮自在な筒状の接続部４Ｂを形成している。
【００３０】
固定部４Ａは、地中埋設桝１の壁部１ａに対して略全長が埋設される長さに形成され、壁部１ａの肉厚と略同一長さに形成している。接続部４Ｂは、地中埋設管２の端部を接続するのに適した長さに形成している。
【００３１】
固定部４Ａ外周面には、地中埋設桝１の壁部１ａ内面に対して係止され、軸方向への移動を阻止する凸状の移動阻止部４Ａａを円周方向に連続して環状に形成するとともに、該移動阻止部４Ａａを、固定部４Ａ外周面に沿って軸方向に対して所定間隔に隔てて複数条配列している。つまり、地中埋設桝１を、後述する妻壁工法、ＰＣ工法等の工法で製作する際に、地中埋設桝１の壁部１ａ内面に対して継手本体４の固定部４Ａ外周面に形成した複数条の各移動阻止部４Ａａ…がそれぞれ係止されるので、地中埋設桝１が固化するまでに、継手全体４が軸方向へ移動しようとするのを阻止することができる。
【００３２】
また、各移動阻止部４Ａａ…間の固定部４Ａ外周面には、例えば未加硫ブチルゴム、水膨張不織布等で構成されるテープ状又はシート状の止水部材４Ｂｄを装着しているので、地中埋設桝１の壁部１ａと埋設管接続継手３の固定部４Ａとの間から地下水等が浸入するのを防止することができる。
【００３３】
地中埋設桝１の外部側と対応する固定部４Ａの外端側周縁部と、地中埋設桝１の内部側と対応する接続部４Ｂの内端側周縁部とを、軸方向及び径方向に対して変形が許容される肉厚に形成した筒状の連結部４Ｃで一体的に連設して、地中埋設管２が接続される接続部４Ｂを、固定部４Ａ内周面と対向する折り曲げ状態と、該固定部４Ａの外端側周縁部よりも外方に突出される引き出し状態とに伸縮自在に設けている。また、接続部４Ｂと連結部４Ｃの一方又は両方を、伸縮性を有する合成ゴムで構成してもよい。
【００３４】
接続部４Ｂは、固定部４Ａ内周面に挿入固定したベルマウス５を構成する案内部５Ｂの外端側周縁部に対して当接する大きさに形成され、連結部４Ｃを材料弾性に抗して固定部４Ａ内周面と対向する方向に折り曲げたとき、接続部４Ｂの内端側周縁部に連設した連結部４Ｃの内周側折曲げ部が案内部５Ｂの外端側周縁部に当接されるので、接続部４Ｂの接続側端部が、地中埋設桝１の外部側と対応する固定部４Ａの外端側周縁部よりも外方に所定長さ突出した状態に規制される。
【００３５】
連結部４Ｃを固定部４Ａ内周面と対向する状態に折り曲げて、接続部４Ｂの内端側周縁部を固定部４Ａ内周面と対向する状態に挿入することにより、その折り曲げと対応する寸法だけ継手本体４が長さ方向に収縮される。
【００３６】
また、接続部４Ｂの接続側端部を長さ方向に牽引して、接続部４Ｂと連結部４Ｃとを固定部４Ａの外端側周縁部よりも外方に引き出せば、その引き出しと対応する寸法だけ継手本体４が長さ方向に伸張される。なお、継手本体４全体の伸縮量は、接続部４Ｂの折り曲げ量、折り曲げ数に応じて変更することができる。
【００３７】
接続部４Ｂの接続側端部内周面には、地中埋設管２の接続側外周面に対して圧着される凸状の止水突起４Ｂａを円周方向に連続して環状に形成するとともに、その止水突起４Ｂａを接続部４Ｂ内周面に沿って軸方向に対して所定間隔に隔てて複数条配列している。
【００３８】
なお、接続部４Ｂ内周面の内径は、地中埋設管２の接続側端部が軸方向に対して圧入許容される寸法に設定しているが、止水突起４Ｂａによる止水作用が十分に得られるならば、地中埋設管２の接続側端部と略同一又は大径に設定してもよい。
【００３９】
上記止水突起４Ｂａと対応する接続部４Ｂ外周面には、締付けバンド６の巻き付けが許容される幅の巻付け溝４Ｂｂを円周方向に連続して形成している。つまり、地中埋設管２の接続側端部を継手本体４の接続部４Ｂに挿入して、締付けバンド６により締付け固定すれば、接続部４Ｂ内周面に形成した各止水突起４Ｂａ…が、地中埋設管２の接続側端部外周面に対して圧着されるため、止水作用が得られるとともに、締付けバンド６の本数が少なくて済む。
【００４０】
また、図１３に示すように、止水突起４Ｂａの代わりに、例えば不織布、水膨張シート等の止水性を有するシート状の止水部材４Ｂｃを接続部４Ｂ内周面に装着してもよく、止水部材４Ｂｃが地中埋設管２の接続側端部外周面に対して圧着されるため、上記止水突起４Ｂａと略同等又は同等以上の作用及び効果を奏することができる。なお、止水突起４Ｂａと止水部材４Ｂｃとを併用することもできる。
【００４１】
また、接続部４Ｂに連設した連結部４Ｃを、固定部４Ａ内周面と対向する状態に折り曲げることにより、固定部４Ａと連結部４Ｃとの対向面間に、ベルマウス５の円筒部５Ａの外端側周縁部が挟み込まれた状態に挿入固定される挿入空間Ｄが形成される。
【００４２】
固定部４Ａ内周面の内径は、ベルマウス５の円筒部５Ａ外周面の外径と略同一に設定し、固定部４Ａ内周面と対向する状態に折り曲げられた連結部４Ｃ外周面の外径は、ベルマウス５の円筒部５Ａ内周面の内径と略同一に設定しているので、円筒部５Ａの外端側周縁部を、固定部４Ａと連結部４Ｃとの対向面間に形成した挿入空間Ｄに挿入すれば、固定部４Ａと連結部４Ｃとの接触抵抗によりベルマウス５の円筒部５Ａが挟み込まれた状態に抜止め固定される。また、ベルマウス５を抜止め固定するのに十分な接触抵抗が得られるならば、接着剤で固定する必要がない。
【００４３】
前記ベルマウス５は、例えばポリ塩化ビニル＝硬質ＰＶＣ等の接触抵抗が小さい合成樹脂で形成され、継手本体４の固定部４Ａに挿入固定される円筒部５Ａを外周側に形成し、ケーブル等の電線類の引き込みをガイドする案内部５Ｂを内周側に形成し、地中埋設桝１の内部側と対応する円筒部５Ａ及び案内部５Ｂの内端側周縁部を一体的に連設している。
【００４４】
円筒部５Ａは、固定部４Ａ内周面に対して略全長が挿入される長さに形成され、地中埋設桝１の外部側と対応する円筒部５Ａの外端側周縁部を、案内部５Ｂの外端側周縁部よりも外方（図３中左側）に向けて所定長さ突出している。固定部４Ａ内周面と対向する状態に折り曲げられた連結部４Ｃの外周側折曲げ部に当接される長さに設定し、円筒部５Ａ外周面を、固定部４Ａ内周面の内径と略同一に設定している。
【００４５】
ベルマウス５の円筒部５Ａを継手本体４の固定部４Ａに挿入した際、固定部４Ａ内周面と円筒部５Ａ外周面とを、例えば接着剤等で一体的に接着固定する。また、固定部４Ａと円筒部５Ａとの対向周面を熱溶着して一体的に固定してもよい。或いは、ベルマウス５を、例えばナイロン（ポリアミド）等の融点が高く耐熱性に優れた合成樹脂で構成すれば、合成ゴム製の継手本体４と一体成形することができる。
【００４６】
地中埋設桝１の内部側と対応する案内部５Ｂの内端側案内面５Ｂａは、該案内部５Ｂの内端側に向かうほど徐々に大径となる滑らかな曲面を有する側面視略ラッパ状に形成し、地中埋設桝１の外部側と対応する案内部５Ｂの外端側案内面５Ｂｂは、該案内部５Ｂの外端側に向かうほど徐々に大径となる滑らかな斜面を有する側面視略円錐状に形成するとともに、地中埋設管２の接続側端部が軸方向に対して当接される範囲の内径に設定している。なお、案内部５Ｂの外端側案内面５Ｂｂを内端側案内面５Ｂａと同一の側面視略ラッパ状に形成してもよい。
【００４７】
また、案内部５Ｂの中央部内周面は、地中埋設管２の内径と略同等又は以下の寸法に設定している。電線類の引き込みが支障なく行えれば、案内部５Ｂの中央部内周面を、地中埋設管２の内径よりも小径に設定してもよい。
【００４８】
地中埋設桝１の外部側と対応する案内部５Ｂの外端側周縁部は、固定部４Ａ内周面と対向する状態に折り曲げられた連結部４Ｃの内周側折曲げ部に対して当接する大きさに形成され、接続部４Ｂの内周面及び連結部４Ｃの内周側折曲げ部の内径と略同一に設定しているので、ベルマウス５の円筒部５Ａを継手本体４の固定部４Ａに挿入したとき、案内部５Ｂの外端側周縁部が連結部４Ｃの内周側折曲げ部に当接される。
【００４９】
図示実施例は上記の如く構成するものにして、以下、埋設管接続継手３の埋設方法を説明する。
【００５０】
先ず、地中埋設桝１を妻壁工法により製作する場合、図５示すように、図４に示す埋設管接続継手３を、継手本体４の固定部４Ａと対応する深さに形成した側面視略凹状の型枠７に収納し、継手本体４の内端側周縁部を型枠７の閉塞側内壁部に当接し、該閉塞側内壁部に設置した中枠７ａをベルマウス５の内端側開口部に挿入して所定の埋設位置に規制する。
【００５１】
次に、例えば養生テープ等の流入防止体７ｂを、接続部４Ｂと固定部４Ａとの隙間が閉塞されるように貼着又は巻付けて、後述する充填物Ａが隙間に流れ込むのを防止した後、継手本体４の固定部４Ａと型枠７の内壁部との間に、例えばコンクリート、モルタル等の充填物Ａを充填する。且つ、型枠７全体を振動させるか、揺らす等して充填物Ａを隅々まで充填するとともに、充填物Ａの露出部分を平坦にする。
【００５２】
充填物Ａが固化した後、埋設管接続継手３が埋設された地中埋設桝１の壁部１ａを型枠７外部に取り出し、予め製作された桝本体と合体させれば、図１に示す地中埋設桝１の製作が完了する。
【００５３】
また、地中埋設桝１をＰＣ工法により製作する場合、図６に示すように、予め製作された地中埋設桝１の壁部１ａに、埋設管接続継手３の埋設が許容される埋設孔１ｂを形成した後、埋設管接続継手３のベルマウス５側を地中埋設桝１の内部側と対応する方向に向けて、壁部１ａの埋設孔１ｂに装填した後、継手本体４の固定部４Ａ外周面と、壁部１ａの埋設孔１ｂ内周面との間に、例えばコンクリート、モルタル等の充填物Ａを充填して固化させるので、現場での埋設作業が簡単活容易に行える。
【００５４】
次に、埋設管接続継手３が埋設された地中埋設桝１を埋設場所に運搬し、図７にも示すように、地中埋設管２の接続側端部を、地中埋設桝１の壁部１ａ外方に突出する接続部４Ｂに挿入して、ベルマウス５に形成した案内部５Ｂの外端側案内面５Ｂｂに対して当接するまで深く差し込み、所定の接続寸法に規制する。
【００５５】
次に、接続部４Ｂの巻付け溝４Ｂｂに巻き付けた締付けバンド６により締付け固定するので、接続部４Ｂ内周面に形成した各止水突起４Ｂａ…が、地中埋設管２の接続側端部外周面に対して止水状態に圧着され、地中埋設桝１を地中に埋設したとき、地中埋設管２と埋設管接続継手３との間から、地下水等が浸入するのを防止することができる。
【００５６】
ケーブルを引き込む際に、ベルマウス５に形成した案内部５Ｂの内端側案内面５Ｂａに接触しても、その内端側案内面５Ｂａを滑らかな曲面を有する側面視略ラッパ状に形成しているので、ケーブルに付与される接触抵抗が小さく、引き込み作業が支障なく行えるとともに、外傷が付くのを防止することができる。
【００５７】
また、ケーブルを地中埋設管２から地中埋設桝１内に引き込む際に、ベルマウス５に形成した案内部５Ｂの外端側案内面５Ｂｂに接触しても、その外端側案内面５Ｂｂを滑らかな側面視略円錐状に形成しているので、上述と同様にケーブルに付与される接触抵抗が小さく、引き込み作業が支障なく行える。
【００５８】
また、図８に示すように、地中埋設桝１と地中埋設管２との相対位置が軸方向に変位したとき、地中埋設管２に接続された接続部４Ｂの変位に応じて、連結部４Ｃが継手本体４の外端側周縁部よりも外方に引き出され、その引き出された寸法だけ継手本体４の接続部４Ｂが軸方向に伸張される。
【００５９】
或いは、図９に示すように、地中埋設桝１と地中埋設管２との相対位置が水平方向や垂直方向に変位したとき、地中埋設管２に接続された接続部４Ｂの変位に応じて、継手本体４の接続部４Ｂ及び連結部４Ｃが上下や左右、斜め等の任意方向に弾性変位するので、地震発生時において、地中埋設桝１と地中埋設管２との間に隙間が発生することがなく、止水状態を維持することができる。また、接続部４Ｂ及び連結部４Ｃは、折り曲げ状態でも任意方向に弾性変位する。
【００６０】
また、可撓性及び伸縮性を有する継手本体４の接続部４Ｂと連結部４Ｃとが、任意の角度及び方向に弾性変位するので、例えば木の根、大きな石、水道管、ガス管等の障害物を避けて、地中埋設管２を埋設するか、地中埋設桝１に対して接続することができ、地中埋設管２の埋設場所を変更する必要がなく、障害物を取り除く又は移転する作業、地中埋設管２の埋設場所を変更する作業が不要となるため、地中埋設管２の埋設作業、接続作業が簡単且つ容易に行え、工期の短縮、工費の低減を図ることができる。
【００６１】
また、地中埋設桝１の製作時において、継手本体４の寸法及び形状をベルマウス５の剛性により維持するので、地中埋設桝１を構成する充填物Ａの圧力により継手本体４が変形しようとするのを防止することができ、規格した寸法及び形状のしたまま埋設されるため、地中埋設管２の接続が支障なく行える。
【００６２】
図１０は、地中埋設桝１の外部側と対応するベルマウス５の外端側開口部を閉塞した埋設管接続継手３の他の例を示し、地中埋設桝１の外部側と対応する案内部５Ｂの外端側周縁部を、円筒部５Ａ内周面と対向する方向に向けて略直角に折り曲げて、円筒部５Ａ内周面と案内部５Ｂ外周面との間を閉塞部５Ｃで閉塞するので、地中埋設桝１の製作時に変形するのを防止することができ、地中埋設管２を接続するのに必要な強度が得られる。また、地中埋設桝１と地中埋設管２との接続が支障なく行え、上記実施例と略同等の作用及び効果を奏することができる。
【００６３】
図１１は、ベルマウス５を構成する案内部５Ｂの肉厚を厚くした埋設管接続継手３の他の例を示し、肉厚の厚い案内部５Ｂを、引けや歪み等が発生しにくい材質又は方法で成形するので、継手本体４の寸法及び形状を維持するのに必要な剛性が得られ、地中埋設桝１の製作時に継手本体４が変形しようとするのを防止することができる。また、ベルマウス５を構成する円筒部５Ａの内端側周縁部を肉厚に形成して、案内部５Ｂを円筒部５Ａの内周部に対して一体成形してもよい。
【００６４】
図１２は、回動阻止部４Ａｂを形成した埋設管接続継手３のその他の例を示し、継手本体４の固定部４Ａ外周面に形成した前後（又は一方）の各移動阻止部４Ａａ…間に、地中埋設桝１の壁部１ａ内面に対して係止され、円周方向への回動を阻止する凸状の回動阻止部４Ａｂを軸方向と平行して形成するとともに、該回動阻止部４Ａｂを継手本体４の固定部４Ａ外周面に沿って円周方向に対して所定間隔に隔てて複数本配列してもよい。
【００６５】
つまり、地中埋設桝１を、上述の妻壁工法、ＰＣ工法等で製作する際に、壁部１ａ内面に対して継手本体４の固定部４Ａ外周面に形成した複数本の各回動阻止部４Ａｂ…がそれぞれ係止されるので、地中埋設桝１が固化するまでに、継手全体４が円周方向へ回動しようとするのを阻止することができ、埋設管接続継手３が所定の向き及び角度に回動規制される。
【００６６】
なお、例えば円形、丸形等を有する形状の継手本体４であれば、任意の向きに埋設することができるので、回動阻止部４Ａｂを設ける必要がないが、回動阻止部４Ａｂにより所定の向きに回動規制すれば、埋設時の精度が向上する。
【００６７】
この発明の構成と、上述の実施例との対応において、  
この発明の止水部は、実施例の止水突起４Ｂａと、止水部材４Ｂｃに対応するも、  
この発明は、上述の実施例の構成のみに限定されるものではなく、請求項に示される技術思想に基づいて応用することができ、多くの実施の形態を得ることができる。
【００６８】
上記移動阻止部４Ａａ及び回動阻止部４Ａｂの本数、高さ等は、継手本体４の大きさに応じて任意に変更することができる。また、連結部４Ｃの折り曲げ回数を複数に変更してもよい。
【図面の簡単な説明】
【００６９】
【図１】電線共同溝における埋設管接続継手の使用状態を示す斜視図。
【図２】埋設管接続継手の分離状態を示す斜視図。
【図３】埋設管接続継手の組み付け状態を示す斜視図。
【図４】埋設管接続継手の接続構造を示す縦断側面図。
【図５】妻壁工法による地中埋設桝の製作例を示す縦断側面図。
【図６】ＰＣ工法による地中埋設桝の製作例を示す縦断側面図。
【図７】埋設管接続継手による地中埋設管の接続状態を示す縦断側面図。
【図８】埋設管接続継手の伸縮変位を示す縦断側面図。
【図９】埋設管接続継手の垂直変位及び水平変位を示す縦断側面図。
【図１０】ベルマウスの外端側開口部を閉塞した例を示す縦断側面図。
【図１１】ベルマウスの案内部を肉厚した他の例を示す縦断側面図。
【図１２】回動阻止部を形成したその他の例を示す斜視図。
【図１３】止水部材を装着したその他の例を示す縦断側面図。
【符号の説明】
【００７０】
１…地中埋設桝
１ａ…壁部
１ｂ…埋設孔
２…地中埋設管
３…埋設管接続継手
４…継手本体
４Ａ…固定部
４Ａａ…移動阻止部
４Ａｂ…回動阻止部
４Ｂ…接続部
４Ｂａ…止水突起
４Ｂｃ…止水部材
４Ｃ…連結部
５…ベルマウス
５Ａ…円筒部
５Ｂ…案内部
５Ｂａ…内端側案内面
５Ｂｂ…外端側案内面
６…締付けバンド
７…型枠
【図１】
2007143243.tif 000003
【図２】
2007143243.tif 000004
【図３】
2007143243.tif 000005
【図４】
2007143243.tif 000006
【図５】
2007143243.tif 000007
【図６】
2007143243.tif 000008
【図７】
2007143243.tif 000009
【図８】
2007143243.tif 000010
【図９】
2007143243.tif 000011
【図１０】
2007143243.tif 000012
【図１１】
2007143243.tif 000013
【図１２】
2007143243.tif 000014
【図１３】
2007143243.tif 000015